(57)【要約】【課題】着脱重錘２４の変更による質量の変更が可能であり、しかもこの着脱重錘２４がボディ１８から脱落しにくいエギ１６の提供。【解決手段】エギ１６は、ボディ１８、アイ２０、針部２２、着脱重錘２４、アーム２６、係合部２８及びピン３０を備えている。着脱重錘２４は、ボディ１８に対して取り付け及び取り外しが自在である。このエギ１６は、ボディ１８に固定された重錘を有していない。係合部２８は、ピン３０によってボディ１８に固定されている。この係合部２８は、溝を備えている。アーム２６は、この溝に嵌り込む。アーム２６及び係合部２８により、着脱重錘２４の前方への移動が阻止される。アーム２６及び係合部２８は、着脱重錘２４のボディ１８からの脱落を防止する。着脱重錘２４は、質量の異なる他の着脱重錘に交換されうる。【選択図】図２
2014000027.tif 000002
【特許請求の範囲】
【請求項１】
ボディと、
上記ボディに対して取り付け及び取り外しが自在な着脱重錘と、
上記着脱重錘の上記ボディからの脱落を防止する脱落防止機構と
を備えたエギ。
【請求項２】
上記ボディが、このボディに固定された固定重錘を有していない請求項１に記載のエギ。
【請求項３】
上記着脱重錘の、上記ボディへ取り付け位置が、上記ボディの前端の近傍であり、
上記ボディに上記着脱重錘が取り付けられたときに、上記脱落防止機構が、上記着脱重錘の前方への移動を阻止する構造を有する請求項１又は２に記載のエギ。
【請求項４】
上記脱落防止機構が、上記着脱重錘から延在するアームと、上記ボディに固定されており上記アームと係合する係合部とを有する請求項１から３のいずれかに記載のエギ。
【請求項５】
上記アームが、棒状部と、この棒状部よりも幅広な膨出部とを備えており、
上記係合部が、上記棒状部が嵌り込む溝と、この溝の内面に形成された突起とを備えており、
上記膨出部と上記突起とが当接することにより、上記着脱重錘の上記ボディからの脱落が防止される請求項１から４のいずれかに記載のエギ。
【請求項６】
上記着脱重錘が、上記ボディの前端近傍が挿通される貫通孔と、この貫通孔の内周面の上部から上方へと延在するスリットとを有する請求項１から５のいずれかに記載のエギ。
【請求項７】
上記係合部が、上記ボディの幅方向に延在するウイングを有する請求項１から６のいずれかに記載のエギ。
【発明の詳細な説明】
【技術分野】
【０００１】
本発明は、イカ釣りに用いられるエギ（疑似餌）に関する。
【背景技術】
【０００２】
「エギング」と称されるイカ釣りが、盛んに行われている。このイカ釣りには、エギが用いられる。エギは、ボディと、アイと、針部と、重錘とを備えている。ボディは木又は合成樹脂からなり、エビに似た形態を備えている。アイには、ラインが結ばれる。キャストされ、着水したエギは、海底に向かって沈降する。この動作は、「フォール」と呼ばれている。釣竿が大きく上方にしゃくられると、ラインに引っ張られてエギは高速で上方へと移動する。この動作は、「ジャンプ」と称されている。ラインが巻かれつつ竿先が左右に連続的に動かされると、エギはジグザグに移動する。この動作は、「ダート」と称されている。これらの動作により、イカはエギをベイトと勘違いし、エギを触手で掴む。このとき、イカに針部が引っかかり、イカが釣り上げられる。
【０００３】
エギの沈降姿勢は、その質量と重心位置とに大きく依存する。重心が後寄りのエギは、ヘッドとテールとが水平を保ちつつ沈降する。一方、重心が前寄りのエギは、テールよりもヘッドが下に位置しつつ沈降する。
【０００４】
エギの沈降速度は、その質量に依存する。質量が大きなエギの沈降速度は、速い。質量が小さなエギの沈降速度は、遅い。エギの沈降速度はさらに、その重心位置にも大きく依存する。重心が後寄りのエギは、ゆっくりと沈降する。一方、重心が前寄りのエギは、速く沈降する。
【０００５】
ジグザグに移動するときの幅（以下「ダート幅」と称される）も、エギの質量及び重心位置に大きく依存する。
【０００６】
近年、船上からのエギングがブームとなっている。このエギングは、水深の大きな場所で行われる。イカのタナに到着するまで、エギは大きな距離を沈降させられる。潮の流れが強い場所では、エギは、船から斜め方向に沈降する。船上からのエギングでは、エギの沈降に長い時間を要する。
【０００７】
潮の流れの強さ及び方向、タナの深さ、水温、イカの活性等の状況に応じ、釣り人は、質量が適切なエギを選択する。さらに釣り人は、ターゲットとするイカのサイズや、このイカが食しているベイトのサイズに応じ、ボディのサイズの異なるエギを選択する。釣り人は、質量及びサイズの異なる多数のエギを準備しなければならない。このことは、釣り人にとって負担である。
【０００８】
図１２には、船上からのエギングに適した従来のエギ２が示されている。このエギ２は、ボディ４と、固定重錘６と、着脱重錘８とを備えている。固定重錘６は、エギ２が破壊されない限り、ボディ４から取り外され得ない。着脱重錘８は、貫通孔１０を備えている。この貫通孔１０に、ボディ４のヘッド１２が挿入されている。この挿入により、着脱重錘８がボディ４に取り付けられる。貫通孔１０からヘッド１２が抜かれることにより、着脱重錘８がボディ４から取り外される。
【０００９】
ボディ４に着脱重錘８が取り付けられたエギ２は、重い。しかも、ボディ４に着脱重錘８が取り付けられたエギ２の重心は、前寄りである。エギ２は、テール１４よりもヘッド１２が下に位置しつつ、沈降する。このエギ２の沈降速度は、速い。
【００１０】
このエギ２では、着脱重錘８が取り替えられることにより、エギ２の質量及び重心位置が変更されうる。従って釣り人は、多数のエギを準備する必要がない。
【００１１】
このような、着脱重錘８を備えたエギ２が、株式会社シマノ発行の「２０１２シマノフィッシングタックルカタログ」の第３４６頁に記載されている。
【先行技術文献】
【非特許文献】
【００１２】
【非特許文献１】株式会社シマノ発行の「２０１２シマノフィッシングタックルカタログ」
【発明の概要】
【発明が解決しようとする課題】
【００１３】
前述の、着脱重錘８を備えたエギ２では、エギングが行われるときに、この着脱重錘８がボディ４から脱落することがある。
【００１４】
本発明の目的は、着脱重錘の変更による質量の変更が可能であり、しかもこの着脱重錘がボディから脱落しにくいエギの提供にある。
【課題を解決するための手段】
【００１５】
本発明に係るエギは、ボディと、このボディに対して取り付け及び取り外しが自在な着脱重錘と、この着脱重錘のボディからの脱落を防止する脱落防止機構とを備える。好ましくは、ボディは、このボディに固定された固定重錘を有していない。
【００１６】
着脱重錘の、ボディへ取り付けの好ましい位置は、ボディの前端の近傍である。好ましくは、脱落防止機構は、ボディに着脱重錘が取り付けられたときに、着脱重錘の前方への移動を阻止する構造を有する。
【００１７】
好ましくは、脱落防止機構は、着脱重錘から延在するアームと、ボディに固定されておりアームと係合する係合部とを有する。好ましいアームは、棒状部と、この棒状部よりも幅広な膨出部とを備える。好ましい係合部は、棒状部が嵌り込む溝と、この溝の内面に形成された突起とを備える。膨出部と突起とが当接することにより、着脱重錘のボディからの脱落が防止される。
【００１８】
好ましくは、着脱重錘は、ボディの前端近傍が挿通される貫通孔と、この貫通孔の内周面の上部から上方へと延在するスリットとを有する。
【００１９】
好ましくは、係合部は、ボディの幅に延在するウイングを有する。
【発明の効果】
【００２０】
本発明に係るエギでは、着脱重錘の変更による質量の変更が可能である。この着脱重錘は、ボディから脱落しにくい。
【図面の簡単な説明】
【００２１】
【図１】図１は、本発明の一実施形態に係るエギが示された正面図である。
【図２】図２は、図１のエギの着脱重錘及びアームが示された拡大正面図である。
【図３】図３は、図２の着脱重錘及びアームが示された平面図である。
【図４】図４は、図２のIV−IV線に沿った断面図である。
【図５】図５は、図３のＶ−Ｖ線に沿った断面図である。
【図６】図６は、図１のエギの係合部が示された拡大正面図である。
【図７】図７は、図６の係合部が示された平面図である。
【図８】図８は、図６のVIII−VIII線に沿った断面図である。
【図９】図９は、図７のIX−IX線に沿った断面図である。
【図１０】図１０は、図１のエギの一部が示された拡大底面図である。
【図１１】図１１は、本発明の他の一実施形態に係るエギの一部が示された断面図である。
【図１２】図１２は、従来のエギが示された正面図である。
【発明を実施するための形態】
【００２２】
以下、適宜図面が参照されつつ、好ましい実施形態に基づいて本発明が詳細に説明される。
【００２３】
図１に示されたエギ１６は、ボディ１８、アイ２０、針部２２、着脱重錘２４、アーム２６、係合部２８及びピン３０を備えている。図１において、左側がエギ１６の前側であり、右側がエギ１６の後側である。このエギ１６は、図１２に示されたエギ２が有する固定重錘６は有していない。換言すれば、このエギ１６は、エギ１６が破壊されない限りボディ１８から取り外され得ない重錘を、有していない。
【００２４】
ボディ１８の形状は、エビに類似している。ボディ１８は、ヘッド３２及びテール３４を有している。ボディ１８は、木又は合成樹脂からなる。ボディ１８の表面が、着色されてもよい。ボディ１８の表面に、模様が画かれてもよい。着色や模様は、イカに対するアピールに寄与する。ボディ１８にクロスが巻かれ、このクロスが着色されてもよい。
【００２５】
アイ２０は、ボディ１８の前端に位置する。アイ２０は、金属線が曲げられて形成されている。金属線の後端は、ボディ１８に埋め込まれており、ボディ１８に堅固に固定されている。このアイ２０には、ラインが結ばれる。金具を介して、ラインがアイ２０に連結されてもよい。
【００２６】
針部２２は、ボディ１８の後端に位置する。針部２２は、軸３６、前針３８及び後針４０からなる。軸３６の前端は、ボディ１８に埋め込まれており、ボディ１８に堅固に固定されている。前針３８は、軸３６の途中から前方に向かって延びている。多数の前針３８が、放射状に配列されている。後針４０は、軸３６の後端から前方に向かって延びている。多数の後針４０が、放射状に配列されている。前針３８及び後針４０は、先細り形状である。イカがエギ１６に抱きついたとき、イカの触手が前針３８又は後針４０に引っ掛かる。これにより、イカが釣り上げられる。
【００２７】
図２及び３には、着脱重錘２４がアーム２６と共に示されている。着脱重錘２４とアーム２６とは、一体的に形成されてる。従って、アーム２６の材質は着脱重錘２４の材質と同じである。着脱重錘２４及びアーム２６は、海水の比重よりも大きな比重を有する。着脱重錘２４及びアーム２６の比重は、ボディ１８の比重よりも大きい。着脱重錘２４及びアーム２６の典型的な材質として、鉛、鉛合金及びタングステン合金が挙げられる。
【００２８】
図４及び５に示されるように、着脱重錘２４は、貫通孔４２を有している。図５から明らかなように、この貫通孔４２の内寸は、前側に向かって徐々に小さくなっている。図１に示されるように、この貫通孔４２には、ボディ１８のヘッド３２が挿入されうる。この挿入により、ボディ１８に着脱重錘２４が取り付けられる。着脱重錘２４は、ボディ１８の前端の近傍に取り付けられる。貫通孔４２からヘッド３２が抜かれることにより、着脱重錘２４がボディ１８から取り外される。この着脱重錘２４は、ボディ１８に対して取り付け及び取り外しが自在である。
【００２９】
前述の通り、このエギ１６は固定重錘を備えていない。図１２に示された従来のエギ２の重心位置に比べ、着脱重錘２４を備えかつ固定重錘を備えていないエギ１６の重心位置は、前寄りである。このエギ１６は、ヘッド３２が下側でありテール３４が上側である姿勢で沈降する。このエギ１６の沈降速度は、速い。
【００３０】
図１２に示された従来のエギ２では、重錘が２つ存在するので、質量が分散する。これに対し、図１に示されたエギ１６では、質量が集中する。このエギ１６の、ラインが引かれたときのダート幅は、大きい。このエギ１６の動きは、イカにアピールする。
【００３１】
図１に示されるように、貫通孔４２へのヘッド３２の挿入により、貫通孔４２よりも前方にアイ２０が露出する。この着脱重錘２４は、アイ２０へのライン等の連結を妨げない。
【００３２】
図３から５に示されるように、着脱重錘２４はスリット４４を有している。このスリット４４は、貫通孔４２の内周面の上部から、上方へと延在する。このスリット４４が存在しているので、着脱重錘２４のボディ１８への取り付け時に、ヘッド３２の頂部が着脱重錘２４と擦動しない。従って、着脱重錘２４の取り付け及び取り外しが繰り返されても、この頂部が摩耗しない。
【００３３】
ヘッド３２の左右方向幅が、貫通孔４２の内周面の左右方向幅よりも小さいときは、着脱重錘２４が左右方向において内向きに押圧される。この押圧により、着脱重錘２４が塑性変形する。この変形により、貫通孔４２の内周面の左右方向幅が縮小する。この縮小により、着脱重錘２４がヘッド３２にフィットする。着脱重錘２４がスリット４４を有しているので、この着脱重錘２４は容易に変形しうる。
【００３４】
図２及び３に示されるように、アーム２６は、着脱重錘２４から後方へと延びている。このアーム２６は、棒状部４６と膨出部４８とを備えている。膨出部４８は、棒状部４６の後端に位置している。図３から明らかなように、膨出部４８の左右方向幅は、棒状部４６の左右方向幅よりも大きい。
【００３５】
図６から９に示されるように、係合部２８は、挿入プレート５０、保持部５２及び一対のウイング５４を備えている。挿入プレート５０、保持部５２及び一対のウイング５４は、一体的に形成されている。係合部２８の典型的な材質は、硬質合成樹脂である。
【００３６】
図８に示されるように、挿入プレート５０は上下方向に延在している。この挿入プレート５０は、ボディ１８に挿入される。この挿入プレート５０は、穴５６を有している。この穴５６にピン３０（図１参照）が通されることにより、係合部２８がボディ１８に固定されている。
【００３７】
保持部５２は、下向きに開口する溝５８を有している。保持部５２はさらに、一対の突起６０（図１０も併せて参照）を有している。それぞれの突起６０は、溝５８の内面に形成されている。図９に示されるように、突起６０は上下方向に延在している。
【００３８】
それぞれのウイング５４は、保持部５２から、幅方向（図７における上下方向）に延在している。ラインが引かれたとき、このウイング５４は水圧を受ける。このウイング５４を備えたエギ１６のダート幅は、大きい。
【００３９】
図１０は、図１のエギ１６の一部が示された拡大底面図である。図１０では、棒状部４６が溝５８に嵌り込んでいる。膨出部４８は、突起６０と当接している。この状態では、アーム２６の前方（図１０における左方向）への移動が、膨出部４８と突起６０との当接によって阻止されている。換言すれば、膨出部４８と上記突起６０とが当接することにより、着脱重錘２４のボディ１８からの脱落が防止される。アーム２６と係合部２８とは、脱落防止機構を形成する。
【００４０】
このエギ１６が用いられたエギングでは、互いに質量の異なる複数の着脱重錘２４が準備される。釣り人は、潮の流れの強さ及び方向、タナの深さ、水温、イカの活性等の状況に応じ、適切な着脱重錘２４を選択する。状況が変化したとき、釣り人は、着脱重錘２４を質量の異なる他の着脱重錘に交換する。釣り人が多数のエギを準備する必要は、ない。釣り人は、例えば、サイズの異なる２種のボディ１８を準備することで、種々の状況に対応したエギングを行うことができる。
【００４１】
図１１は、本発明の他の一実施形態に係るエギ６２の一部が示された断面図である。このエギ６２は、ボディ６４、アイ６６、着脱重錘６８及びアーム７０を備えている。図示されていないが、このエギ６２は、図１に示されたエギ１６の針部２２と同等の針部を備えている。
【００４２】
ボディ６４は、ヘッド７２を有している。このボディ６４の材質は、図１に示されたエギ１６のボディ１８の材質と同等である。
【００４３】
アイ６６は、ボディ６４の前端に位置する。アイ６６は、金属線が曲げられて形成されている。アーム７０も金属線からなる。アイ６６の金属線とアーム７０の金属線とは、一体である。アーム７０は、前後方向に延在している。アーム７０の前端には、起立部７４が形成されている。
【００４４】
着脱重錘６８の材質は、図１に示されたエギ１６の着脱重錘２４の材質と同等である。着脱重錘６８は、貫通孔７６を有している。図１１から明らかなように、この貫通孔７６の内寸は、前側に向かって徐々に小さくなっている。この貫通孔７６には、ヘッド７２が挿入されうる。この挿入により、ボディ６４に着脱重錘６８が取り付けられる。着脱重錘６８は、ボディ６４の前端の近傍に取り付けられる。貫通孔７６からヘッド７２が抜かれることにより、着脱重錘６８がボディ６４から取り外される。この着脱重錘６８は、ボディ６４に対して取り付け及び取り外しが自在である。
【００４５】
着脱重錘６８は、その底面に穴７８を備えている。図１１では、この穴７８に起立部７４が挿入されている。起立部７４は、穴７８に係合する。穴７８及び起立部７４は、脱落防止機構を形成する。この脱落防止機構は、着脱重錘６８の前方への移動を阻止する。この脱落防止機構は、着脱重錘６８のボディ６４からの脱落を防止する。
【００４６】
着脱重錘６８がボディ６４に取り付けられるときは、アーム７０が下方に湾曲させられる。着脱重錘６８がボディ６４から取り外されるときは、アーム７０が下方に湾曲させられ、起立部７４が穴７８から抜かれる。
【産業上の利用可能性】
【００４７】
本発明に係るエギは、種々の目・科に属するイカの釣りに用いられうる。このエギは、タコの釣りにも用いられうる。
【符号の説明】
【００４８】
１６、６２・・・エギ
１８、６４・・・ボディ
２０、６６・・・アイ
２２・・・針部
２４、６８・・・着脱重錘
２６、７０・・・アーム
２８・・・係合部
４２、７６・・・貫通孔
４４・・・スリット
４６・・・棒状部
４８・・・膨出部
５２・・・保持部
５４・・・ウイング
５８・・・溝
６０・・・突起
７４・・・起立部
７８・・・穴
【図１】
2014000027.tif 000003
【図２】
2014000027.tif 000004
【図３】
2014000027.tif 000005
【図４】
2014000027.tif 000006
【図５】
2014000027.tif 000007
【図６】
2014000027.tif 000008
【図７】
2014000027.tif 000009
【図８】
2014000027.tif 000010
【図９】
2014000027.tif 000011
【図１０】
2014000027.tif 000012
【図１１】
2014000027.tif 000013
【図１２】
2014000027.tif 000014